(57)【要約】【課題】簡素な構成で種々の金型形状に応じて好適に離型剤又はエアを吹き付けることができる成形装置を提供する。【解決手段】ダイカストマシン１は、移動金型１０３を保持する移動ダイプレート１５を駆動するダイプレート駆動装置１９を有する型開閉装置３と、スプレイヘッド４１を固定金型１０１と移動金型１０３との間に進退させるヘッド駆動装置４５を有するスプレイ装置７と、スプレイヘッド４１から離型剤を噴出するスプレイ工程中（ステップＳＴ４）又はスプレイヘッド４１からエアを噴出するエアブロー工程中（ステップＳＴ６）にスプレイ装置７を制御するとともに、移動ダイプレート１５を型開閉方向に移動させる（ステップＳＴ５、ＳＴ７）ように型開閉装置３を制御する制御装置９と、を有している。【選択図】図１
2015217430.tif 000002
【特許請求の範囲】
【請求項１】
固定金型を保持する固定ダイプレート、移動金型を保持する移動ダイプレート、及び、前記移動ダイプレートを型開閉方向に移動させるダイプレート駆動装置を有した型開閉装置と、
スプレイヘッドに少なくとも離型剤及びエアのいずれか一方を供給する供給装置、及び、前記スプレイヘッドを前記固定金型と前記移動金型との間に進退させるヘッド駆動装置を有したスプレイ装置と、
少なくとも前記スプレイヘッドから前記離型剤を噴出するスプレイ工程及び前記スプレイヘッドからエアを噴出するエアブロー工程のいずれか一方の工程中に、前記スプレイ装置を制御するとともに、前記移動ダイプレートを型開閉方向に移動させるように前記型開閉装置を制御する制御装置と、
を有した成形装置。
【請求項２】
前記制御装置は、前記スプレイ装置で前記スプレイヘッドから少なくとも前記離型剤及び前記エアのいずれか一方を噴出させながら、前記型開閉装置で前記移動ダイプレートを型開閉方向に移動させるように前記型開閉装置及び前記スプレイ装置を制御する
請求項１に記載の成形装置。
【請求項３】
前記制御装置は、少なくとも前記スプレイ工程及び前記エアブロー工程のいずれか一方の工程中に、前記移動ダイプレートを型開閉方向に往復動させるように前記型開閉装置を制御する
請求項１又は２に記載の成形装置。
【請求項４】
前記制御装置は、少なくとも前記スプレイ工程及び前記エアブロー工程のいずれか一方の工程中に、金型間に位置する前記スプレイヘッドを金型間への進退方向に移動させるように前記スプレイ装置を制御する
請求項１〜３のいずれか１項に記載の成形装置。
【請求項５】
前記制御装置は、前記スプレイ工程で前記スプレイヘッドから前記離型剤を噴出した後、前記エアブロー工程で前記スプレイヘッドからエアを噴出させるように前記スプレイ装置を制御する
請求項１〜４のいずれか１項に記載の成形装置。
【請求項６】
前記制御装置は、前記スプレイ工程の完了後、又は、前記エアブロー工程の完了後に、前記移動ダイプレートを型開限に後退させずに、前記移動ダイプレートを前進させて型閉じを行うように前記型開閉装置を制御する
請求項１〜５のいずれか１項に記載の成形装置。
【請求項７】
固定金型を保持する固定ダイプレート、移動金型を保持する移動ダイプレート、及び、前記移動ダイプレートを型開閉方向に移動させるダイプレート駆動装置を有した型開閉装置と、
スプレイヘッドに少なくとも離型剤及びエアのいずれか一方を供給する供給装置、及び、前記スプレイヘッドを前記固定金型と前記移動金型との間に進退させるヘッド駆動装置を有したスプレイ装置と、
前記スプレイヘッドから前記離型剤を噴出するスプレイ工程中、又は、前記スプレイヘッドからエアを噴出するエアブロー工程中における前記移動ダイプレートの型開閉方向の移動距離、移動速度及び移動パターンの少なくともいずれか一つの入力を受け付ける入力装置と、
を有した成形装置。
【請求項８】
少なくとも固定金型と移動金型との間に位置するスプレイヘッドから離型剤を噴出するスプレイ工程及び前記スプレイヘッドからエアを噴出するエアブロー工程のいずれか一方の工程と、
前記スプレイ工程及び前記エアブロー工程のいずれか一方の工程中に、前記移動金型を保持している移動ダイプレートを型開閉方向に移動させる移動工程と、
を有した成形方法。
【発明の詳細な説明】
【技術分野】
【０００１】
本発明は、成形機（成形装置）及び成形方法に関する。成形機は、例えば、ダイカストマシンや射出成形機である。
【背景技術】
【０００２】
成形機においては、金型内で成形材料が凝固して形成された成形品を金型から好適に取り出すこと等を目的として、金型内に成形材料を射出する前に、金型の内面に離型剤を塗布することが行われている。
【０００３】
具体的には、例えば、特許文献１のダイカストマシンは、固定金型及び移動金型の型開きを行った状態で、スプレイヘッドをロボットアームによって金型間に移動させ、スプレイヘッドから固定金型及び移動金型の内面に向けて離型剤及びエアを吹き付けている。特許文献１のようにロボットアームを設けた場合においては、スプレイヘッドを任意の位置に位置決めできることから、種々の金型形状に応じて好適に離型剤を塗布することができる。
【０００４】
また、特許文献２では、ロボットアームを設置するとコストが高くなること等に鑑み、スプレイヘッドと移動金型との位置決めに移動金型を保持する移動ダイプレートの移動を利用している。具体的には、特許文献２では、離型剤をスプレイする前に、移動ダイプレートを型閉方向へ移動させ、移動金型とスプレイヘッドとの距離が予め設定されたスプレイ距離になるように、移動金型をスプレイヘッドに対して位置決めしている。この技術では、種々の金型の厚さに応じてスプレイ距離を調整でき、また、そのための駆動装置として、型開閉のための駆動装置を利用することから、構成の簡素化が図られている。
【先行技術文献】
【特許文献】
【０００５】
【特許文献１】特開平０９−１８２９４６号公報
【特許文献２】特開２００７−１６７９２２号公報
【発明の概要】
【発明が解決しようとする課題】
【０００６】
特許文献１の技術は、特許文献２でも指摘されているように、ロボットアームの設置によってコストが高くなる。また、特許文献２の技術では、簡素な構成で種々の金型の厚さに応じてスプレイ距離を調整できるものの、金型形状に応じた調整はできない。その結果、特許文献２の技術では、例えば、金型形状によっては、離型剤が不足又は過剰になる部分が生じるおそれがある。
【０００７】
従って、簡素な構成で種々の金型形状に応じて好適に離型剤又はエアを吹き付けることができる成形装置及び成形方法が提供されることが望まれる。
【課題を解決するための手段】
【０００８】
本発明の一態様に係る成形装置は、固定金型を保持する固定ダイプレート、移動金型を保持する移動ダイプレート、及び、前記移動ダイプレートを型開閉方向に移動させるダイプレート駆動装置を有した型開閉装置と、スプレイヘッドに少なくとも離型剤及びエアのいずれか一方を供給する供給装置、及び、前記スプレイヘッドを前記固定金型と前記移動金型との間に進退させるヘッド駆動装置を有したスプレイ装置と、少なくとも前記スプレイヘッドから前記離型剤を噴出するスプレイ工程及び前記スプレイヘッドからエアを噴出するエアブロー工程のいずれか一方の工程中に、前記スプレイ装置を制御するとともに、前記移動ダイプレートを型開閉方向に移動させるように前記型開閉装置を制御する制御装置と、を有している。
【０００９】
好適には、前記制御装置は、前記スプレイ装置で前記スプレイヘッドから少なくとも前記離型剤及び前記エアのいずれか一方を噴出させながら、前記型開閉装置で前記移動ダイプレートを型開閉方向に移動させるように前記型開閉装置及び前記スプレイ装置を制御する。
【００１０】
好適には、前記制御装置は、少なくとも前記スプレイ工程及び前記エアブロー工程のいずれか一方の工程中に、前記移動ダイプレートを型開閉方向に往復動させるように前記型開閉装置を制御する。
【００１１】
好適には、前記制御装置は、少なくとも前記スプレイ工程及び前記エアブロー工程のいずれか一方の工程中に、金型間に位置する前記スプレイヘッドを金型間への進退方向に移動させるように前記スプレイ装置を制御する。
【００１２】
好適には、前記制御装置は、前記スプレイ工程で前記スプレイヘッドから前記離型剤を噴出した後、前記エアブロー工程で前記スプレイヘッドからエアを噴出させるように前記スプレイ装置を制御する。
【００１３】
好適には、前記制御装置は、前記スプレイ工程の完了後、又は、前記エアブロー工程の完了後に、前記移動ダイプレートを型開限に後退させずに、前記移動ダイプレートを前進させて型閉じを行うように前記型開閉装置を制御する。
【００１４】
本発明の一態様に係る成形装置は、固定金型を保持する固定ダイプレート、移動金型を保持する移動ダイプレート、及び、前記移動ダイプレートを型開閉方向に移動させるダイプレート駆動装置を有した型開閉装置と、スプレイヘッドに少なくとも離型剤及びエアのいずれか一方を供給する供給装置、及び、前記スプレイヘッドを前記固定金型と前記移動金型との間に進退させるヘッド駆動装置を有したスプレイ装置と、前記スプレイヘッドから前記離型剤を噴出するスプレイ工程中、又は、前記スプレイヘッドからエアを噴出するエアブロー工程中における前記移動ダイプレートの型開閉方向の移動距離、移動速度及び移動パターンの少なくともいずれか一つの入力を受け付ける入力装置と、を有している。
【００１５】
本発明の一態様に係る成形方法は、少なくとも固定金型と移動金型との間に位置するスプレイヘッドから離型剤を噴出するスプレイ工程及び前記スプレイヘッドからエアを噴出するエアブロー工程のいずれか一方の工程と、前記スプレイ工程及び前記エアブロー工程のいずれか一方の工程中に、前記移動金型を保持している移動ダイプレートを型開閉方向に移動させる移動工程と、を有している。
【発明の効果】
【００１６】
本発明によれば、簡素な構成で種々の金型形状に応じて好適に離型剤又はエアを吹き付けることができる。
【図面の簡単な説明】
【００１７】
【図１】本発明の実施形態に係るダイカストマシンの要部の構成を型開状態で示す模式図。
【図２】図１のダイカストマシンにおける成形サイクルの一部の手順を示すフローチャート。
【図３】図１のダイカストマシンのスプレイ工程開始時の状態を示す模式図。
【図４】図１のダイカストマシンの型閉工程開始時の状態を示す模式図。
【図５】図１のダイカストマシンの型締工程中の型締動作開始時の状態を示す模式図。
【図６】図６（ａ）及び図６（ｂ）はスプレイ工程中のノズルと移動金型との相対移動の例を示す模式図。
【図７】図７（ａ）及び図７（ｂ）はスプレイ工程中のスプレイ及び移動金型の移動のタイミングの例を示す模式図。
【発明を実施するための形態】
【００１８】
図１は、本発明の実施形態に係るダイカストマシン１の要部の構成を示す模式図である。図１において、紙面上方及び下方は、鉛直方向の上方及び下方に対応し、紙面左右方向は水平方向に対応している。
【００１９】
ダイカストマシン１は、例えば、固定金型１０１及び移動金型１０３の型締めを行う型締装置３と、型締された固定金型１０１及び移動金型１０３により形成されたキャビティ１０５（図５参照）内に溶湯（溶融状態の金属材料）を射出する射出装置５と、キャビティ１０５内の溶湯が凝固して形成されたダイカスト品（成形品）を移動金型１０３又は固定金型１０１から押し出す不図示の押出装置と、射出前の固定金型１０１及び移動金型１０３に離型剤をスプレイするためのスプレイ装置７と、これら各装置を制御するための制御装置９とを有している。
【００２０】
型締装置３は、例えば、ベース１１と、ベース１１上に固定され、固定金型１０１を保持する固定ダイプレート１３と、ベース１１上において型開閉方向（紙面左右方向）において移動可能に設けられ、移動金型１０３を保持する移動ダイプレート１５と、固定ダイプレート１３及び移動ダイプレート１５に架け渡される複数（一般に４本）のタイバー１７とを有している。
【００２１】
移動ダイプレート１５が型開閉方向において移動することにより、固定金型１０１及び移動金型１０３は、型閉じ又は型開きがなされる。また、複数のタイバー１７の一端側が固定ダイプレート１３及び移動ダイプレート１５の一方（本実施形態では移動ダイプレート１５）に係合された状態で、複数のタイバー１７の他端側が固定ダイプレート１３及び移動ダイプレート１５の他方（本実施形態では固定ダイプレート１３）に対して引張られることにより、固定金型１０１及び移動金型１０３の型締めがなされる。
【００２２】
型締装置３は、例えば、電動駆動によって型開閉を行うとともに液圧（油圧）駆動によって型締めを行う、いわゆる複合式型締装置によって構成されている。具体的には、例えば、以下のとおりである。
【００２３】
型締装置（型開閉装置）３は、例えば、主として型開閉のために移動ダイプレート１５を駆動するダイプレート駆動装置１９を有している。また、型締装置３は、例えば、主として型締めのために、複数のタイバー１７を駆動する複数の型締シリンダ２１と、複数のタイバー１７に係合する複数のハーフナット２３とを有している。
【００２４】
ダイプレート駆動装置１９は、例えば、回転式の電動機２５と、電動機２５の回転を並進運動に変換するねじ機構２７とを有している。ねじ機構２７は、例えば、ベース１１に支持され、型開閉方向に延びるねじ軸２９と、ねじ軸２９に螺合され、移動ダイプレート１５に固定されたナット３１とを有している。ねじ軸２９は、軸方向の移動が規制され、ナット３１は軸回りの回転が規制されている。
【００２５】
電動機２５の回転がねじ軸２９に伝達されてねじ軸２９が軸回りに回転されると、ナット３１が型開閉方向に移動する。これにより、移動ダイプレート１５が型開閉方向に移動する。移動ダイプレート１５は、ダイプレート駆動装置１９により、例えば、図１に示す型開限と、固定金型１０１と移動金型１０３とが接触又は近接する型閉位置（図５参照）との間で駆動される。
【００２６】
型締シリンダ２１は、例えば、固定ダイプレート１３に設けられたシリンダ部３３と、タイバー１７の一端に固定され、シリンダ部３３内に収容されたピストン３５とを有している。ピストン３５は、シリンダ部３３内を固定ダイプレート１３の前面側（移動ダイプレート１５側）のシリンダ室とその反対側のシリンダ室とに区画している。２つのシリンダ室に選択的に作動液（例えば油）が供給されることにより、ピストン３５は型開閉方向において移動する。
【００２７】
ハーフナット２３は、移動ダイプレート１５に対して型開閉方向において移動不可能に移動ダイプレート１５に支持されている。一方、タイバー１７の移動ダイプレート１５側の端部には、ハーフナット２３と噛み合い可能な係合部１７ａが形成されている。
【００２８】
ハーフナット２３が係合部１７ａと噛み合った状態（図５参照）で、ピストン３５が固定ダイプレート１３の背面側へ移動するように型締シリンダ２１に作動液が供給されることにより、タイバー１７は伸長される。これにより、固定金型１０１及び移動金型１０３の型締めがなされる。
【００２９】
射出装置５は、例えば、キャビティ１０５に通じるスリーブ３７と、スリーブ３７内を摺動可能なプランジャ３９と、プランジャ３９を駆動可能な不図示のプランジャ駆動装置とを有している。スリーブ３７に溶湯が供給された状態で、プランジャ３９がキャビティ１０５側へ前進駆動されることにより、スリーブ３７内の溶湯がキャビティ１０５へ射出・充填される。
【００３０】
スプレイ装置７は、例えば、少なくとも霧状の離型剤及びエアのいずれか一方を噴出させるスプレイヘッド４１と、スプレイヘッド４１に少なくとも離型剤及びエアのいずれか一方を供給する供給装置４３と、スプレイヘッド４１を金型間に対して進入又は退避させるヘッド駆動装置４５と、を有している。
【００３１】
スプレイヘッド４１は、例えば、ヘッド基部４７と、ヘッド基部４７に着脱されるホルダ４９と、ホルダ４９に取り付けられた複数のノズル５１とを有している。
【００３２】
ヘッド基部４７は、ヘッド駆動装置４５によって金型間への進退方向において駆動される。この進退方向は、例えば、型開閉方向に直交する方向であり、より具体的には、例えば、上下方向である。ヘッド基部４７内には、離型剤の流路及びエアの流路が形成されており、これらの流路には、供給装置４３から離型剤及びエアが供給される。
【００３３】
ホルダ４９は、ヘッド基部４７に対して適宜な着脱機構によって着脱可能に構成されている。また、ホルダ４９内には、ヘッド基部４７内の離型剤の流路及びエアの流路に通じる、離型剤の流路及びエアの流路が形成されている。
【００３４】
ノズル５１は、例えば、塑性変形が可能なパイプ（例えば銅管）によって形成されており、ホルダ４９に取り付けられている。この取り付け部分は、ノズル５１をホルダ４９に対して交換可能に構成されていてもよい。ノズル５１は、ホルダ４９内の離型剤の流路及びエアの流路に通じている。ノズル５１は、曲げられることにより、その先端（吐出口）を適宜な位置及び向きにすることが可能である。
【００３５】
供給装置４３から離型剤及び圧縮エアがヘッド基部４７に供給されると、これらはホルダ４９及び／又はノズル５１にて混合され、霧状の離型剤がノズル５１から噴出される。なお、ホルダ４９には、ノズル５１毎に離型剤の量を調整するためのバルブが設けられていてもよい。また、供給装置４３からエアのみが供給されたときは、ノズル５１からはエアのみが噴出される。このエアは、離型剤の水分を除去することに利用される。
【００３６】
供給装置４３は、例えば、離型剤を保持するタンク５３と、タンク５３にエアを送ってタンク５３の離型剤を加圧して送出する離型剤用コンプレッサ５５と、送出された離型剤のヘッド基部４７への流れを許容又は禁止する離型剤用バルブ５７とを有している。ノズル５１からの離型剤の噴出及びその停止は、例えば、離型剤用バルブ５７の開閉によって制御される。なお、離型剤用バルブ５７は、ヘッド基部４７に設けられてもよい。
【００３７】
また、供給装置４３は、例えば、エアを送出するエア用コンプレッサ５９と、送出されたエアのヘッド基部４７への流れを許容又は禁止するエア用バルブ６１とを有している。ノズル５１からのエアの噴出及びその停止は、例えば、エア用バルブ６１の開閉によって制御される。なお、エア用バルブ６１は、ヘッド基部４７に設けられてもよい。
【００３８】
ヘッド駆動装置４５は、例えば、ヘッド基部４７に固定された可動部６３と、可動部６３を上下方向に駆動する固定部６５とを有している。可動部６３は、例えば、ヘッド基部４７の進退方向である上下方向に延びるように構成されている。固定部６５は、例えば、不図示の回転式の電動機と、この電動機の回転を並進運動に変換する不図示のねじ機構とを有しており、可動部６３を上下方向に移動させる。これにより、スプレイヘッド４１が金型間に対して進入又は退避する。
【００３９】
固定部６５は、例えば、基本的に、固定的に設けられている。例えば、固定部６５は、固定ダイプレート１３に支持されている。従って、移動ダイプレート１５が型開閉方向に移動すると、ヘッド駆動装置４５に支持されているスプレイヘッド４１と、移動ダイプレート１５に保持されている移動金型１０３とは型開閉方向において相対移動する。
【００４０】
なお、固定部６５は、例えば、型開閉方向における位置を調整可能に、位置調整機構６７によって支持されている。位置調整機構６７は、手作業（人力）によって固定部６５の位置を調整するものであってもよいし、電動機等の駆動源を含み、作業者の入力操作等に基づく制御装置９の制御によって固定部６５の位置を調整するものであってもよい。
【００４１】
スプレイ装置７において用いられる離型剤は、油性のものであってもよいし、水溶性のものであってもよい。
【００４２】
制御装置９は、例えば、特に図示しないが、ＣＰＵ、ＲＯＭ、ＲＡＭ、外部記憶装置、を含んで構成されている。なお、図１では、便宜上、制御装置９を１ブロックで示しているが、実際には、各種装置に設けられた制御装置が組み合わされて制御装置９が構成されていてもよい。制御装置９は、入力された各種の入力信号に基づいて、各部を制御するための制御信号を出力する。
【００４３】
制御装置９に信号を入力するのは、例えば、作業者の入力操作を受け付ける入力装置６９、電動機２５の回転を検出するエンコーダ７１、ヘッド駆動装置４５に含まれる不図示の電動機の回転を検出する不図示のエンコーダである。制御装置９が信号を出力するのは、例えば、作業者に情報を表示する表示器７３、電動機２５、ヘッド駆動装置４５に含まれる不図示の電動機である。
【００４４】
制御装置９は、例えば、エンコーダ７１からの検出値に基づいて、移動ダイプレート１５の位置及び速度のフィードバック制御を行う。なお、図１では、いわゆるセミ・クローズドループの制御が行われる場合を例示しているが、移動ダイプレート１５の位置を直接に検出する位置センサを設け、（フル・）クローズドループの制御がなされてもよい。
【００４５】
また、制御装置９は、例えば、ヘッド駆動装置４５の不図示のエンコーダからの検出値に基づいて、スプレイヘッド４１の位置及び速度のフィードバック制御を行う。なお、この制御についても、セミ・クローズドループの制御ではなく、（フル・）クローズドループの制御がなされてもよい。
【００４６】
図２は、ダイカストマシン１の成形サイクルの一部の手順を示すフローチャートである。また、図３〜図５は、成形サイクルの各種の時点におけるダイカストマシン１の状態を示す図１と同様の模式図である。
【００４７】
ステップＳＴ１の開始前において、ダイカストマシン１は、図１に示すような状態とされている。例えば、移動ダイプレート１５は、型開限に位置している。スプレイヘッド４１は、金型間から退避した位置に位置している。
【００４８】
ステップＳＴ１では、制御装置９は、ヘッド駆動装置４５を駆動して、スプレイヘッド４１を金型間に進入させる。スプレイヘッド４１が所定の位置まで下降すると、制御装置９は、ステップＳＴ２に進む。
【００４９】
ステップＳＴ２では、制御装置９は、ダイプレート駆動装置１９を駆動して、移動ダイプレート１５を型閉方向へ移動（前進）させる。
【００５０】
ステップＳＴ３では、制御装置９は、移動ダイプレート１５が所定のスプレイ開始位置に到達したか否かを判定する。到達していないと判定した場合は、移動ダイプレート１５の型閉方向への移動を継続し、到達したと判定した場合は、ステップＳＴ４及びＳＴ５に進む。
【００５１】
上記のステップＳＴ１〜ＳＴ３により、図３に示すように、スプレイヘッド４１は、金型間に位置し、また、移動金型１０３に対して適宜な距離で位置決めされる。なお、スプレイヘッド４１の固定金型１０１に対する距離は、位置調整機構６７によるスプレイヘッド４１の型開閉方向の位置調整によって適宜な大きさとされている。
【００５２】
ステップＳＴ４では、制御装置９は、離型剤用バルブ５７及びエア用バルブ６１を開き、ノズル５１から霧状の離型剤を噴出させる（スプレイ工程）。これにより、離型剤が固定金型１０１及び移動金型１０３の内面に塗布される。
【００５３】
ステップＳＴ４と並行して、ステップＳＴ５では、制御装置９は、ダイプレート駆動装置１９を駆動して、移動ダイプレート１５を型開方向及び／又は型閉方向に移動させる（移動工程）。従って、移動金型１０３に対する離型剤の吹き付けは、ノズル５１と移動金型１０３との距離を変化させながら行われる。なお、この移動は、例えば、移動ダイプレート１５の可動範囲（型開限〜型閉位置）に対して比較的狭い範囲内において行われる。例えば、この移動の距離は、移動金型１０３の内面の凹凸差以下である。
【００５４】
次に、ステップＳＴ６では、制御装置９は、離型剤用バルブ５７を閉じ、ノズル５１からエアを噴出させる（エアブロー工程）。これにより、離型剤の水分が吹き飛ばされたり蒸発されたりして除去される。
【００５５】
ステップＳＴ６と並行して、ステップＳＴ７では、制御装置９は、ダイプレート駆動装置１９を駆動して、移動ダイプレート１５を型開方向及び／又は型閉方向に移動させる（移動工程）。従って、移動金型１０３に対するエアの吹き付けは、ノズル５１と移動金型１０３との距離を変化させながら行われる。なお、この移動も、ステップＳＴ５と同様に、移動ダイプレート１５の可動範囲に対して比較的狭い範囲でなされ、一例として、移動金型１０３の内面の凹凸差以下の範囲でなされる。
【００５６】
制御装置９は、例えば、ステップＳＴ５及びステップＳＴ７を通して、移動ダイプレート１５の可動範囲に対して比較的狭い範囲において移動ダイプレート１５を移動させている。従って、ステップＳＴ７の完了時において、ダイカストマシン１の状態は、ステップＳＴ５の開始前の図３の状態と概略同様である。すなわち、移動ダイプレート１５は、型開限よりも型閉方向側に位置している。
【００５７】
次に、ステップＳＴ８では、制御装置９は、ヘッド駆動装置４５を駆動して、スプレイヘッド４１を金型間から退避させる。
【００５８】
ステップＳＴ８が完了すると、図４に示すように、スプレイヘッド４１は、金型間から退避される。また、既に述べたように、移動金型１０３は、型開限よりも型閉方向へ位置している。
【００５９】
次に、ステップＳＴ９では、制御装置９は、ダイプレート駆動装置１９を駆動して、移動ダイプレート１５を型閉方向へ移動させる。このとき、制御装置９は、移動ダイプレート１５を型開限に後退させることはせず、例えば、ステップＳＴ７の完了時の位置から、移動ダイプレート１５を型閉方向へ移動させる。
【００６０】
その後、例えば、移動金型１０３が固定金型１０１に接触して型閉じが完了すると、制御装置９は、型締シリンダ２１を駆動して係合部１７ａ及びハーフナット２３の噛み合い位置を調整し、次に、ハーフナット２３を閉じて係合部１７ａ及びハーフナット２３を噛み合わせる。図５は、そのハーフナット２３が閉じられた状態を示している。
【００６１】
そして、特に図示しないが、制御装置９は、型締シリンダ２１を駆動して型締を行い、型締完了後、射出装置５を駆動してキャビティ１０５に溶湯を射出・充填する。溶湯が凝固すると、制御装置９は、型締シリンダ２１の圧抜きを行って型締めを終了し、ハーフナット２３を開いて係合部１７ａ及びハーフナット２３の噛み合いを解除し、ダイプレート駆動装置１９を駆動して移動ダイプレート１５を型開限（図１）まで後退させる。その後、不図示の押出装置によってキャビティ１０５内のダイカスト品が取り出される。そして、ステップＳＴ１に戻る。
【００６２】
図６（ａ）は、スプレイ工程中におけるノズル５１と移動金型１０３との相対移動（ステップＳＴ５）の例を示す模式図である。なお、この図において、紙面左右方向は、型開閉方向である。
【００６３】
移動金型１０３のキャビティ１０５を構成する面は、例えば、凹凸を有しており、ひいては、型開閉方向に沿うような面１０３ｓを有している。このような面１０３ｓは、面１０３ｓ内の位置によってノズル５１の先端との距離や向きが異なることから、面１０３ｓの全面に亘って均等に離型剤を塗布することが困難である。例えば、図６（ａ）において実線で示す状態では、面１０３ｓの奥側（紙面左側）は、面１０３ｓの手前側（紙面右側）に比較して離型剤が届きにくく、奥側において離型剤が不足したり、手前側において離型剤が過剰になったりする。
【００６４】
しかし、矢印ｙ１及び想像線（２点鎖線）で示すように、スプレイ工程中に移動ダイプレート１５を型開閉方向において移動させると（ステップＳＴ４及びＳＴ５）、ノズル５１の先端が移動金型１０３の凹部（別の観点では凸部の根元）に対して、接近・離反、又は、進入・退避する。従って、ノズル５１の先端を面１０３ｓの手前側の位置だけでなく、面１０３ｓの奥側の位置に近付けることができる。その結果、面１０３ｓに対して均等に離型剤を塗布することが容易化される。
【００６５】
図６（ｂ）は、スプレイ工程中のノズル５１と移動金型１０３との相対移動（ステップＳＴ５）の他の例を示す模式図である。
【００６６】
この例では、矢印ｙ２〜ｙ４及び想像線（２点鎖線）で示すように、スプレイ工程中において、移動ダイプレート１５の型開閉方向の移動だけでなく、ノズル５１の進退方向（上下方向）の移動も行われている。具体的には、例えば、矢印ｙ２で示す移動金型１０３の移動、矢印ｙ３で示すノズル５１の移動、矢印ｙ４で示す移動金型１０３の移動が順次行われる。このように、ノズル５１の進退方向の移動も組み合わせることにより、より複雑な金型形状に対しても好適に離型剤を塗布することが可能となる。
【００６７】
スプレイ工程中のノズル５１と移動金型１０３との相対移動について述べたが、エアブロー工程中の相対移動（ステップＳＴ７）についても、図６（ａ）及び図６（ｂ）と同様になされてよい。これにより、金型形状に起因してエアが届きにくい位置にもエアを行き渡らせることが容易化される。
【００６８】
なお、スプレイ工程中の移動金型１０３とスプレイヘッド４１との相対移動と、エアブロー工程中の移動金型１０３とスプレイヘッド４１との相対移動とは、その経路及び／又は速度等が同一であってもよいし、異なっていてもよい。
【００６９】
また、ステップＳＴ５及びステップＳＴ７において、移動金型１０３とスプレイヘッド４１との相対移動は、所定の経路に対して往復されてよい。例えば、移動ダイプレート１５は往復動されてよく、また、移動ダイプレート１５の往復動に連動して、スプレイヘッド４１も往復動されてよい。
【００７０】
図７（ａ）は、スプレイ工程中（ステップＳＴ４）のスプレイ及び移動金型１０３の移動のタイミングの例を示す模式図である。
【００７１】
この図において、横軸は時間である。「スプレイ」において、「ＯＮ」は、ノズル５１から霧状の離型剤を噴出させている状態を示し、「ＯＦＦ」は、ノズル５１から霧状の離型剤を噴出させていない状態（離型剤、又は、離型剤及びエアを噴出させていない状態）を示している。「移動」において、「停止」、「前進」及び「後退」は、移動ダイプレート１５の停止、型閉方向への移動及び型開方向への移動を示している。
【００７２】
この図の例では、ノズル５１から霧状の離型剤が噴出される期間、及び、移動ダイプレート１５が駆動される期間は、一方の期間の一部又は全部と、他方の期間の一部又は全部とが重複している。すなわち、ダイカストマシン１は、ノズル５１から霧状の離型剤を噴出させながら、移動ダイプレート１５を型開閉方向に移動させている。
【００７３】
なお、より具体的には、この例では、両期間の全部同士が重複している。また、ノズル５１から霧状の離型剤が噴出されている期間において、移動ダイプレート１５は１以上の回数で往復動されている。
【００７４】
図７（ｂ）は、スプレイ工程中（ステップＳＴ４）のスプレイ及び移動金型１０３の移動のタイミングの他の例を示す、図７（ａ）と同様の模式図である。
【００７５】
この例では、ノズル５１から霧状の離型剤が噴出される期間、及び、移動ダイプレート１５が駆動される期間は、互いに重複していない。すなわち、スプレイ工程において、ノズル５１からの霧状の離型剤の噴出は間欠的に行われ、その噴出の合間に移動ダイプレート１５の型開閉方向への移動が行われている。別の観点では、移動ダイプレート１５は、複数位置に位置決めされ、その位置決めがなされる度に、霧状の離型剤の噴出が行われている。
【００７６】
このような動作によっても、移動金型１０３とスプレイヘッド４１との一の相対位置においてのみ、霧状の離型剤が噴出される場合（例えば、ステップＳＴ５を行わず、ステップＳＴ３の位置のみで霧状の離型剤が噴出される場合）に比較して、均等に離型剤を塗布することができる。
【００７７】
なお、図７（ｂ）の例から理解されるように、本実施形態において、スプレイ工程は、各成形サイクルにおいて、離型剤の噴出を開始してから離型剤の噴出を完了するまでをいうものとする。従って、スプレイ工程中に移動ダイプレート１５を移動させると言う場合には、図７（ａ）の例のように離型剤を噴出させながら移動ダイプレート１５を移動させる態様だけでなく、図７（ｂ）の例のように離型剤の噴出の合間に移動ダイプレート１５を移動させる態様を含むものとする。
【００７８】
逆に、スプレイ工程中の移動ダイプレート１５の移動には、各成形サイクルにおける最初の離型剤の噴出の前における移動、及び、各成形サイクルにおける最後の離型剤の噴出の後における移動は含まれないものとする。
【００７９】
例えば、ステップＳＴ２の移動は、スプレイのための移動ではあるが、スプレイ工程中の移動には含まれない。また、例えば、特許文献２では、離型剤を噴射後、移動ダイプレートを型開限へ移動させ、その後、型閉工程を開始しているが、この移動ダイプレートの型開限への移動は、スプレイ工程中の移動に含まれない。また、図７（ｂ）の例において、スプレイ工程直後の「後退」は、金型間から退避されるスプレイヘッド４１が移動金型１０３に接触することを防止するためのものであり、離型剤の噴射に起因する移動であるが、本実施形態では、スプレイ工程中の移動には含まれない。
【００８０】
スプレイ工程中の移動金型１０３の移動について述べたが、同様に、スプレイ工程中のスプレイヘッド４１の移動も、離型剤がまさに噴出されている最中の移動と、各成形サイクルにおいて２回以上離型剤が噴出される場合におけるその噴出の合間の移動との双方を含むものとする。
【００８１】
また、スプレイ工程中の移動について述べたが、同様に、エアブロー工程中の移動ダイプレート１５又はスプレイヘッド４１の移動も、エアがまさに噴出されている最中の移動と、各成形サイクルにおいて２回以上エアが噴出される場合におけるその噴出の合間の移動との双方を含むものとする。
【００８２】
以上に説明した動作を規定する情報は、ダイカストマシン１の製造者又は作業者によって適宜に設定されてよい。
【００８３】
例えば、ステップＳＴ３における移動ダイプレート１５のスプレイ開始位置について、ダイカストマシン１は、入力装置６９を介して、作業者による移動ダイプレート１５の位置の入力を受け付けてもよい。また、例えば、ダイカストマシン１は、入力装置６９を介して、作業者によるスプレイ距離の入力を受け付け、予め入力された金型の厚さやスプレイヘッド４１の型開閉方向の位置に基づいて、移動ダイプレート１５のスプレイ開始位置を決定してもよい。また、例えば、スプレイ開始位置は、最大型厚でもスプレイヘッド４１が金型に接触しない位置に製造者によって設定されていてもよい。
【００８４】
また、例えば、ステップＳＴ５又はＳＴ７における移動ダイプレート１５の動作を規定するパラメータとしては、例えば、移動ダイプレート１５の移動距離、移動速度及び動作パターンが挙げられる。例えば、制御装置９は、基準となる位置（例えばステップＳＴ３の位置）から、設定された移動距離及び移動速度で移動ダイプレート１５を型閉方向へ移動させる。さらに、動作パターンとして往復動及びその回数が設定されていれば、設定された移動距離及び移動速度で移動ダイプレート１５を往復動させる。制御装置９は、例えば、移動距離、移動速度及び動作パターンの少なくともいずれか一つに関して、入力装置６９を介して、作業者の情報入力を受け付けてよい。
【００８５】
なお、移動ダイプレート１５の移動前後の２点の位置の入力は、移動距離の入力と等価である。また、移動距離及び移動時間の入力は、移動速度の入力と等価である。動作パターンの入力は、製造者が用意した複数の動作パターンからの選択であってもよいし、複数の位置を移動ダイプレート１５の通過順に入力するようなものであってもよい。
【００８６】
スプレイ工程中及びエアブロー工程中の移動ダイプレート１５の移動を規定する情報について述べたが、スプレイ工程中及びエアブロー工程中のスプレイヘッド４１の移動を規定する情報についても同様に、移動距離、移動速度及び動作パターン等が入力装置６９を介して入力されてよい。
【００８７】
以上のとおり、本実施形態のダイカストマシン１は、型締装置３と、スプレイ装置７と、スプレイヘッド４１から霧状の離型剤を噴出するスプレイ工程中（ステップＳＴ４）に移動ダイプレート１５を型開閉方向において移動させる（ステップＳＴ５）ように型締装置３及びスプレイ装置７を制御する制御装置９と、を有している。
【００８８】
別の観点では、本実施形態のダイカストマシン１は、型締装置３と、スプレイ装置７と、ノズル５１から霧状の離型剤を噴出するスプレイ工程中（ステップＳＴ４）における移動ダイプレート１５の型開閉方向における移動距離、移動速度及び移動パターンの少なくともいずれか一つの入力を受け付ける入力装置（６９）と、を有している。
【００８９】
さらに別の観点では、本実施形態の成形方法は、固定金型１０１と移動金型１０３との間に位置するスプレイヘッド４１から霧状の離型剤を噴出するスプレイ工程（ステップＳＴ４）と、スプレイ工程中に、移動金型１０３を保持している移動ダイプレート１５を型開閉方向において移動させる移動工程（ステップＳＴ５）と、を有している。
【００９０】
従って、図６を参照して説明したように、スプレイ工程中にスプレイヘッド４１と移動金型１０３との距離を変化させ、移動金型１０３の金型形状（凹凸）に対して適切な距離及び／又は向きで離型剤を塗布することができる。且つ、そのスプレイヘッド４１と移動金型１０３との相対移動には、型開閉のためのダイプレート駆動装置１９が利用されることから、多自由度のロボットアーム等を設置する必要はなく、ダイカストマシン１の構成を簡素にすることができる。別の観点では、公知のダイカストマシンにおいて、制御装置内に組み込まれた制御システム（制御方法）（必要に応じて入力装置を含む）を新たに設計し直す又は新たに設計するだけで、離型剤を好適に塗布することができ、既設のダイカストマシンに対する適用も容易である。
【００９１】
さらに、そのように過不足なく離型剤を塗布することが容易化される結果、離型剤の噴出量を低減できることが期待される。その結果、離型剤が環境に及ぼす影響が低減されることが期待される。また、離型剤の噴出時間が短くなることも期待される。その結果、サイクル時間が短縮されることが期待される。
【００９２】
また、本実施形態では、制御装置９は、スプレイヘッド４１から霧状の離型剤を噴出させながら移動ダイプレート１５を型開閉方向に移動させるように型締装置３及びスプレイ装置７を制御する（図７（ａ））。
【００９３】
この場合、例えば、離型剤を塗布するときのスプレイヘッド４１と移動金型１０３との相対位置を連続的に変化させることになるから、均等に離型剤を塗布することが容易化される。また、例えば、離型剤の塗布と、スプレイヘッド４１と移動金型１０３との相対移動とが同時に行われることになるから、スプレイ時間が短縮される。
【００９４】
また、本実施形態では、制御装置９は、スプレイ工程中に移動ダイプレート１５を型開閉方向において往復動させるように型締装置３及びスプレイ装置７を制御する（図６（ａ）、図７（ａ）等）。
【００９５】
この場合、例えば、ノズル５１の先端を移動金型１０３の凹部に対して進入させ、次に、ノズル５１の先端を凹部から退避させてノズル５１の金型間からの退避（ノズル５１の上昇）の準備をする一連の動作の際に、離型剤を移動金型１０３の凹部の手前側と奥側とに塗布することができ効率的である。また、往路及び復路の双方に亘って、及び／又は、複数回の往復において離型剤を塗布することにより、離型剤の塗布の偏りが低減されたり、離型剤が少量ずつ塗布されることによって離型剤の水分が蒸発しやすくなることが期待される。
【００９６】
また、本実施形態では、制御装置９は、スプレイ工程中に金型間に位置するスプレイヘッド４１を金型間への進退方向（上下方向）において移動させるように型締装置３及びスプレイ装置７を制御する。
【００９７】
従って、例えば、図６（ｂ）を参照して説明したように、より複雑な金型形状に対しても、離型剤を均等に塗布することが容易化される。また、一のノズル５１で金型の上下方向の複数位置に対応することができることから、ノズル５１の本数の削減も容易化される。
【００９８】
また、本実施形態では、制御装置９は、スプレイヘッド４１からエアを噴出させるエアブロー工程中（ステップＳＴ６）に移動ダイプレート１５を移動させる（ステップＳＴ７）ように型締装置３及びスプレイ装置７を制御する。
【００９９】
従って、例えば、エアが届きにくい位置にエアを行き渡らせやすくなる。その結果、例えば、離型剤の水分が移動金型１０３に残ることを低減でき、ひいては、不良品が生じる頻度を低減できる。また、別の観点では、効率的に離型剤の水分を除去できる。
【０１００】
また、本実施形態では、制御装置９は、エアブロー工程中についても、スプレイ工程中と同様に、スプレイヘッド４１からエアを噴出させながら移動ダイプレート１５を移動させたり、エアブロー工程中に移動ダイプレート１５を型開閉方向において往復動させたり、エアブロー工程中にスプレイヘッド４１を金型間に対する進退方向（上下方向）において移動させたりするように、型締装置３及びスプレイ装置７を制御する。従って、効率的な水分の除去、ノズル５１の本数低減等の効果が奏される。
【０１０１】
また、本実施形態では、制御装置９は、スプレイ工程（ステップＳＴ４）の完了後、移動ダイプレート１５を型開限に後退させずに、移動ダイプレート１５を前進させて型閉じを行う（ステップＳＴ９）ように型締装置３及びスプレイ装置７を制御する。
【０１０２】
従って、移動金型１０３をスプレイヘッド４１に近づけるための移動（例えばステップＳＴ２の移動）によって、移動金型１０３が固定金型１０１に近づいた状態から、型閉工程が開始されることになる。その結果、型閉工程における移動ダイプレート１５の移動距離が短くなり、ひいては、成形サイクルが短縮される。
【０１０３】
本発明は、以上の実施形態に限定されず、種々の態様で実施されてよい。
【０１０４】
成形機は、ダイカストマシンに限定されない。例えば、成形機は、他の金属成形機であってもよいし、射出成形機であってもよいし、木粉に熱可塑性樹脂等を混合させた材料を成形する成形機であってもよい。また、成形機は、横型締横射出に限定されず、例えば、縦型締縦射出、縦型締横射出、横型締縦射出であってもよい。
【０１０５】
成形機の構成は、スプレイ工程中又はエアブロー工程中に移動ダイプレート及びスプレイヘッドを移動させる制御に係る部分を除いて、すなわち、制御装置（必要に応じて入力装置）を除いて、概略、公知の成形機と同様の構成とすることが可能である。このことから明らかなように、成形機の構成は、実施形態において例示したものに限定されず、公知の種々の構成とされてよい。
【０１０６】
例えば、型締装置は、電動式と液圧式とを組み合わせた複合式型締装置に限定されず、全電動式型締装置であってもよいし、全液圧式型締装置であってもよい。ただし、スプレイ工程及び／又はエアブロー工程において高精度に移動ダイプレートを駆動する観点からは、型締装置は、電動機を含む（複合式型締装置又は全電動式型締装置である）ことが好ましい。
【０１０７】
型締装置が電動機を含む場合において、電動機は、回転式に限定されず、リニアモータであってもよい。また、回転式の電動機の回転を並進運動に変換する機構は、ねじ機構に限定されず、例えば、ラック・ピニオン機構やリンク機構であってもよい。
【０１０８】
また、例えば、型締装置は、２プラテン式のものに限定されず、トグル機構を含むものであってもよい。また、例えば、型締装置は、型開閉用の駆動装置と型締用の駆動装置とが別個に設けられているものに限定されず、一の駆動装置が型開閉と型締めとに利用されるものであってもよい。また、型開閉用の駆動装置と型締用の駆動装置とが別個に設けられている場合において、スプレイ工程中に移動ダイプレートを駆動するダイプレート駆動装置は、型締用の駆動装置であってもよい。
【０１０９】
また、例えば、スプレイヘッドは、比較的長いパイプ状のノズルを有するものに限定されない。例えば、スプレイヘッドは、金型間に進入したときに金型の内面に対向するプレートと、当該プレートに適宜な向きで取り付けられた比較的短いノズルとを有するものであってもよい。スプレイヘッドにおける着脱機構も公知の種々のものが採用されてよい。
【０１１０】
また、例えば、ヘッド駆動装置は、電動式に限定されない。例えば、ヘッド駆動装置は、液圧式であってもよい。ただし、スプレイ工程及び／又はエアブロー工程において、金型間への進退方向において高精度にスプレイヘッドを駆動する観点からは、ヘッド駆動装置は、電動機を含むことが好ましい。ヘッド駆動装置が電動機を含む場合において、電動機が回転式に限定されないこと、回転を並進運動に変換する機構がねじ軸に限定されないことは、型締装置と同様である。また、本発明は、多自由度のロボットアームを不要とするが、ヘッド駆動装置は、そのようなロボットアームとされてもよい。
【０１１１】
実施形態では、スプレイヘッド及びヘッド駆動装置は、固定ダイプレートに支持されることにより、固定的に設けられた。ただし、スプレイヘッド及びヘッド駆動装置は、移動ダイプレートに支持されるなど、移動ダイプレートと共に移動するように設けられてもよい。この場合、移動ダイプレートの移動によって、スプレイヘッドと固定金型との距離を調整できる。また、固定ダイプレートに支持されて移動金型に向けて離型剤を噴出するスプレイヘッド及びヘッド駆動装置と、移動ダイプレートに支持されて固定金型に向けて離型剤を噴出するスプレイヘッド及びヘッド駆動装置とが設けられてもよい。
【０１１２】
エアブロー工程は、行われなくてもよい。エアブロー工程を不要とするような離型剤は公知である。
【０１１３】
スプレイ工程及び／又はエアブロー工程において、スプレイヘッドの駆動は行われなくてもよい。従って、ヘッド駆動装置は、単に、金型間から退避した位置と金型間に進入した位置との間（前進限と後退限との間）でスプレイヘッドを駆動するだけの構成（前進限と後退限との間の任意の位置にスプレイヘッドを位置決めできない構成）であってもよい。
【０１１４】
実施形態では、スプレイヘッドを金型間に進入させた後、移動金型の型閉方向への移動を開始した（ステップＳＴ１、ＳＴ２）。しかし、スプレイヘッドを金型間に進入させる期間、及び、移動ダイプレートを前進させる期間は、スプレイヘッドが金型に接触しない限り、一方の期間の一部又は全部が他方の期間の一部又は全部に重複してもよく、また、いずれが先に開始及び／又は完了されてもよい。スプレイヘッドを金型間から退避させる期間、及び、型閉工程のために移動ダイプレートを前進させる期間についても同様である。
【０１１５】
実施形態では、型開限からスプレイ開始位置への移動ダイプレートの移動（ステップＳＴ２）と、スプレイ工程中の移動ダイプレートの移動（ステップＳＴ５）とを別個に説明した。しかし、型開限から型閉方向への移動ダイプレートの移動中に離型剤の噴出（スプレイ工程）が開始されるなど、移動ダイプレートの移動だけに着目したときに両移動の区別は明確でなくてもよい。エアブロー工程中（エアブローが行われない場合はスプレイ工程中）の移動ダイプレートの移動と、型閉工程の移動ダイプレートの移動（ステップＳＴ９）についても同様である。
【０１１６】
また、スプレイヘッドの金型間への進入に係る移動と、スプレイ工程中のスプレイヘッドの移動とについても同様に、金型間からの退避位置から進入方向へのスプレイヘッドの移動中に離型剤の噴出が開始されるなど、スプレイヘッドの移動だけに着目したときに両移動の区別は明確でなくてもよい。エアブロー工程中（エアブローが行われない場合はスプレイ工程中）のスプレイヘッドの移動と、スプレイヘッドの退避に係る移動とについても同様である。
【０１１７】
実施形態では、移動ダイプレートが型開限よりも型閉方向へ移動した（ステップＳＴ２）後に、離型剤の噴出（スプレイ工程、ステップＳＴ４）が開始され、また、スプレイ工程中（及びエアブロー工程中）の移動ダイプレートの移動によっても、移動ダイプレートは型開限まで後退しなかった。ただし、移動ダイプレートが型開限に位置するときに離型剤の噴出が開始され、その後、離型剤の噴出継続中に移動ダイプレートが前進するなど、移動ダイプレートは、スプレイ工程中（又はエアブロー工程中）に型開限に位置してもよい。
【０１１８】
また、実施形態では、エアブロー工程の完了後、移動ダイプレートは、型開限よりも前の位置から型閉方向への移動（型閉工程）を開始したが、エアブロー工程の完了後（エアブローが行われない場合はスプレイ工程の完了後）、型開限に戻ってから型閉方向への移動を開始してもよい。
【符号の説明】
【０１１９】
１…ダイカストマシン、３…型締装置（型開閉装置）、７…スプレイ装置、９…制御装置、１３…固定ダイプレート、１５…移動ダイプレート、１９…ダイプレート駆動装置、４１…スプレイヘッド、４３…供給装置、４５…ヘッド駆動装置、１０１…固定金型、１０３…移動金型。
【図１】
2015217430.tif 000003
【図２】
2015217430.tif 000004
【図３】
2015217430.tif 000005
【図４】
2015217430.tif 000006
【図５】
2015217430.tif 000007
【図６】
2015217430.tif 000008
【図７】
2015217430.tif 000009